(57)【要約】【課題】支持部材を大型化にすることなく且つ簡易な構成で、支持部材に対する画像読取部材の取付強度を高めることができる画像形成装置を提供すること。【解決手段】画像形成部３の上に排紙空間９をあけて画像読取部５を支持する支持部材７を備え、支持部材７は画像読取部５との接合部１１が画像読取部５の厚みと略同一の寸法を有する画像形成装置１において、支持部材７は外周にフランジ１３を形成した板材であり、画像読取部５との接合部１１は、一側面に画像読取部５を当接して接合してあり、フランジ１３は他面側に突設して形成している。【選択図】図１
2010186110.tif 000002
【特許請求の範囲】
【請求項１】
画像形成部の上に排紙空間をあけて画像読取部を支持する支持部材を備え、支持部材は画像読取部との接合部が画像読取部の厚みと略同一の上下寸法を有する画像形成装置において、
支持部材は外周にフランジを形成した板材であり、画像読取部との接合部は、一側面に画像読取部を当接して接合してあり、フランジは他面側に突設するように曲げて形成してあることを特徴とする画像形成装置。
【請求項２】
支持部材の前記接合部は、少なくともその上部と下部とで画像読取部にねじ固定してあり、ねじは上端又は下端からねじの座面の略半径位置にねじの軸部を取付けていることを特徴とする請求項１に記載の画像形成装置。
【請求項３】
画像読取部の下端を受け部で受けて画像読取部の高さを調整する高さ調整部材を備え、高さ調整部材は板材でできており支持部材と画像読取部との間設けてあり、且つ画像読取部側に曲げて前記受け部を形成していることを特徴とする請求項１又は２に記載の画像形成装置。
【発明の詳細な説明】
【技術分野】
【０００１】
本発明は、画像形成部の上に排紙空間をあけて画像読取部を支持する支持部材を備える画像形成装置に関する。
【背景技術】
【０００２】
デジタル複写機、ファクシミリ装置等の画像形成装置において、画像形成部の上に原稿を読取る画像読取部を設けると共に、画像形成部と画像読取部との間に画像形成後の用紙を排紙する排紙空間を設けたものが公知である。
【０００３】
係る画像形成装置では、下端部を画像形成部に固定した支持部材の上端部に画像読取部を接合部してあり、この接合部の上下寸法は画像読取部の厚みと略同一の寸法になっている。
【０００４】
特許文献１には、支持部材を板状の鋼材で形成し、その外囲に画像読取部側に突設するフランジを曲げて形成し、フランジの内周側に画像読取部側に突設した突設部を設けて突設部を画像読取部に接合することが開示されている。
【０００５】
また、他の従来技術として、図７〜図９に示すように、板状の支持部材１０１において、その外周に画像読取部５（図９参照）側に向けて突設したフランジ１０３を形成し、内周側を画像読取部５側に突設した突設部（接合部）１０５を形成し、突設部１０５を画像読取部５に当接してねじ１０７で接合することが開示されている。
【発明の概要】
【発明が解決しようとする課題】
【０００６】
しかし、画像読取部では、画像読取時に原稿を上から抑える為、支持部材１０１における画像読取部５との接合部１０５に下に向かう大きな外力Ｆ（図９参照）がかかり、支持部材１０１の接合部１０５と画像読取部５との取付け強度が低下するという問題がある。
【０００７】
これに対して、支持部材１０１の接合部１０５と画像読取部５との取付強度を高めようとすると、支持部材１０１を大型化したり、特許文献１のように画像読取部側に突設する突設部を取付けて画像読取部との接触面積を増やしたのでは構成が複雑になるという問題がある。
【０００８】
本発明は、上記事情に鑑みなされたものであり、支持部材を大型化にすることなく且つ簡易な構成で、支持部材に対する画像読取部材の取付強度を高めることができる画像形成装置の提供を目的とする
【課題を解決するための手段】
【０００９】
上記課題を解決する為、本発明は、画像形成部の上に排紙空間をあけて画像読取部を支持する支持部材を備え、支持部材は画像読取部との接合部が画像読取部の厚みと略同一の上下寸法を有する画像形成装置において、支持部材は外周にフランジを形成した板材であり、画像読取部との接合部は、一側面に画像読取部を当接して接合してあり、フランジは他面側に突設するように曲げて形成してあることを特徴とする。
【発明の効果】
【００１０】
本発明によれば、支持部材において、画像読取部との接合部は、フランジを画像読取部と反対の側に突設して形成しているので、フランジを画像読取部側に突設した場合に比較して画像読取部との接触面を大きく取ることができ、画像読取部を強固に固定することができる。即ち、フランジの突設方向を画像読取部と反対側（接合部の他面側）にするだけであるから、支持部材を大型化することなく且つ簡易な構成で画像読取部を支持部材に強固に固定できる。
【図面の簡単な説明】
【００１１】
【図１】第１実施の形態に係る画像形成装置において、支持部材と画像読取部との接合部分を、カバーを外して示す斜視部である。
【図２】図１に示す支持部材と画像読取部との接合部分を、画像読取部を除いて示す斜視図である。
【図３】図１に示すＡ―Ａ断面図である。
【図４】図１のＢ部を拡大して示す斜視図である。
【図５】図４に示す分部を図４に示すＣ方向から見た斜視図である。
【図６】本時実施の形態に係る画像形成装置の外観を示す斜視図である。
【図７】従来の画像形成装置において、支持部材と画像読取部との接合部分を、画像読取部を除いて示す斜視図である。
【図８】図９に示すＥ―Ｅ断面図である。
【図９】従来の画像形成装置において、高さ位置調整部材と画像読取部との係合部分を拡大して示す斜視図である。
【発明を実施するための形態】
【００１２】
以下に、添付図面を参照して本発明に係る実施の形態を説明する。
【００１３】
図６に示すように、本実施の形態に係る画像形成装置１は、画像形成部３と、画像読取部（スキャナー部）５と、下端部を画像形成部３に固定し上端部を画像読取部５に固定して画像読取部５を支持する支持部材７とを備えており、画像形成部３と画像読取部５との間には排紙空間９が形成されている。
【００１４】
画像読取部５は略四角柱形状であり、その一側面に支持部材７の接合部１１が固定されている。
【００１５】
支持部材７は、板状の鋼材（板材）でできており、図１〜図３に示すように、画像形成部との固定部１０と、固定部１０の上部に位置する接合部１１とから構成されており、固定部１０と接合部１１とで略Ｌ字形状を成している。接合部１１にはその一面側に画像読取部５を固定している。
【００１６】
接合部１１は、画像読取部５の側面に沿って延出する略長四角形状を成しており、上下寸法は画像読取部３の厚み寸法（上下寸法）と略同じ寸法に形成されている。
【００１７】
支持部材７の外周には画像読取部３と反対側（他面側）に突設したフランジ１３が折り曲げて形成されている。
【００１８】
支持部材７の接合部１１には、フランジ１３の内周側に画像読取部５と反対側に突設した絞り部１５が形成されており、絞り部１５の周囲が画像読取部５との当接面１７（図２及び図３参照）になっている。
【００１９】
図１及び図２に示すように、接合部１１において、絞り部１５とフランジ１３との間には接合部１１の上部と下部において各々長手方向に間隔をあけてねじ孔１９が形成されている。ねじ孔１９は、図３に示すように、ねじ孔１９に挿通するねじ２７の座面２７ａの半径位置にねじの軸部２７ｂを挿通する位置に形成している。本実施の形態では、ねじ２７の座面２７ａの半径は５ｍｍ〜１０ｍｍであり、フランジ１３からその内周側５ｍｍ〜１０ｍｍの位置に形成されている。
【００２０】
支持部材７の接合部１１において、画像形成部３との固定部１０から最も離れた位置にある先端部１２には、画像読取部５の取付け高さを調整する高さ調整部材２１が取付けてある。この高さ調整部材２１は支持部材７と画像読取部５との間に位置し、支持部材７の画像読取部５側面にねじ固定されている。
【００２１】
高さ調整部材２１は、図４に示すように、支持部材７の先端部１２に形成された斜め方向の長孔２３により、矢印Ｓで示すように斜めにスライド調整してねじ２９で固定されている。
【００２２】
図２及び図５に示すように、高さ調整部材２１の下端には、画像読取部５側に突設して画像読取部５の下面を受ける受け部２５が形成されている。高さ調整部材２１は、板状の鋼材でできており、受け部２５は画像読取部５側に折り曲げて形成してある。
【００２３】
次に、本実施の形態における組立て及び作用効果を説明する。画像形成装置１の組立ては、支持部材７の下端部側にある固定部１０を画像形成部３にねじ固定し、支持部材７の上端部側にある接合部１１の先端部１２に高さ調整部材２１をねじ２９で取付ける。高さ調整部材２１は接合部１１の画像読取部５側面（一面）に取付ける。
【００２４】
そして、支持部材７の接合部１１を画像読取部５の側面に当接し、接合部１１の上下に設けてある各ねじ孔１９にねじ２７を挿通して、接合部１１に画像読取部５をねじ固定する（図３参照）。
【００２５】
次に、高さ調整部材２１の受け部２５が画像読取部５の下面に当接するように、長孔２３に沿って移動することにより位置を調節し、ねじ２９で固定する。
【００２６】
本実施の形態によれば、支持部材７において、画像読取部５との接合部１１は、フランジ１３を画像読取部５と反対側（他面側）に突設するように形成しているので、図３に示すように、画像読取部５との接触面を、図８に示すフランジ１３を画像読取部５側に突設した場合よりも大きく取ることができ、支持部材７に画像読取部５を強固に固定することできる。即ち、フランジ１３の突設方向を画像読取部５と反対側（他面側）にするだけであるから、支持部材７を大型化することなく且つ簡易な構成で画像読取部５を支持部材７に強固に固定できる。
【００２７】
しかも、図３に示すように本実施の形態では、支持部材７の接合部１１は、上下２箇所の面で画像読取部５に接触しているので２面で当接することができ、図８に示す一面が当接する場合に比較して安定に取付けでき、取付け強度を更に高めることができる。
【００２８】
支持部材７の接合部１１では、少なくともその上部と下部とで画像読取部５にねじ２７で固定してあり、ねじ２７は上端又は下端からねじの座面２７ａの略半径位置にねじの軸部２７ｂを取付けているから、上下方向におけるねじの取付け間隔を最大にでき、上下におけるねじの取付け間隔を狭くした場合に比較して、画像読取部５を安定に且つ強固に固定することができる。
【００２９】
高さ調整部材２１は支持部材７と画像読取部５との間設けてあるから、図５に示すように、高さ調整部材２１を画像読取部５に近接して配置でき、画像読取部５の下面を受ける受け部２５において、画像読取部５を受け部２５の曲げ部２５ａ近傍に配置できる。即ち、図９に示すように高さ調整部材を支持部材７に対して画像読取部５と反対側に配置した場合には受け部１０９において曲げ部１１１から画像読取部５までの距離Ｌ２に比較して本実施の形態では図５に示す短い距離Ｌ１にできるから、受け部２５が変形し難く、画像読取部５を安定に保持することができる。
【００３０】
本発明は上述した実施の形態に限定されず、本発明の要旨を逸脱しない範囲において種々変形可能である。
【符号の説明】
【００３１】
１    画像形成装置
３    画像形成部
５    画像読取部
７    支持部材
９    排紙空間
１１  接合部
１３  フランジ
１７  当接面（一面）
１９  ねじ孔
２１  高さ調整部材
２５  受け部
【先行技術文献】
【特許文献】
【００３２】
【特許文献１】特開２００７−３２８２０４号公報
【図１】
2010186110.tif 000003
【図２】
2010186110.tif 000004
【図３】
2010186110.tif 000005
【図４】
2010186110.tif 000006
【図５】
2010186110.tif 000007
【図６】
2010186110.tif 000008
【図７】
2010186110.tif 000009
【図８】
2010186110.tif 000010
【図９】
2010186110.tif 000011